(57)【要約】      （修正有）【課題】表示レイヤの数が制限された場合であっても所望のグラフィック表現を行うことができる画像表示装置を提供する。【解決手段】少なくとも２つの表示レイヤの表示を行う表示部１２と、画面の遷移を指示する指示部１８と、画面遷移前の画像を表示するために必要な表示レイヤの数と画面遷移後の画像を表示するために必要な表示レイヤの数とを合計した合計表示レイヤ数と表示部が有する表示レイヤの数とを比較する比較部４と、合計表示レイヤ数よりも表示部が有する表示レイヤの数の方が少ない場合に画面遷移前の画像に含まれる少なくとも２つのレイヤまたは／および画面遷移後の画像に含まれる少なくとも２つのレイヤを統合して合成レイヤを生成するレイヤ統合部１６と、合成レイヤを用いて表示部に表示させる表示制御部４と、レイヤ統合部により生成した合成レイヤをレイヤ統合部により統合する前のレイヤに分割するレイヤ分割部１６とを備える。【選択図】図１
2013250841.tif 000002
【特許請求の範囲】
【請求項１】
少なくとも２つの表示レイヤの表示を行う表示部と、
前記表示部に表示された画面の遷移を指示する指示部と、
前記指示部により画面遷移指示が行われると、画面遷移前の画像を表示するために必要な前記表示レイヤの数と画面遷移後の画像を表示するために必要な前記表示レイヤの数とを合計した必要レイヤ数と、前記表示部が有する表示レイヤの数とを比較する比較部と、
前記必要レイヤ数よりも前記表示部が有する表示レイヤの数の方が少ない場合に、画面遷移前の画像に含まれる少なくとも２つのレイヤまたは／および画面遷移後の画像に含まれる少なくとも２つのレイヤを統合して合成レイヤを生成するレイヤ統合部と、
前記合成レイヤを用いて前記表示部に表示する画像を画面遷移前の画像から画面遷移後の画像へ徐々に遷移させる表示制御部と、
前記レイヤ統合部により生成した前記合成レイヤを前記レイヤ統合部により統合する前の前記レイヤに分割するレイヤ分割部と
を備えることを特徴とする画像表示装置。
【請求項２】
前記表示制御部は、画像切替効果を用いて前記表示部に表示する画像を画面遷移前の画像から画面遷移後の画像へ徐々に遷移させることを特徴とする請求項１記載の画像表示装置。
【請求項３】
前記合成レイヤを生成する前の前記レイヤの構成を示すレイヤデータを記憶する記憶部を備え、
前記レイヤ分割部は、前記レイヤデータに基づいて前記合成レイヤを分割することを特徴とする請求項１または２記載の画像表示装置。
【請求項４】
少なくとも２つの表示レイヤの表示を行う表示部に表示された画面を遷移させる画面遷移指示が行われると、画面遷移前の画像を表示するために必要な前記表示レイヤの数と画面遷移後の画像を表示するために必要な前記表示レイヤの数とを合計した必要レイヤ数と、前記表示部が有する表示レイヤの数とを比較する比較ステップと、
前記必要レイヤ数よりも前記表示部が有する表示レイヤの数の方が少ない場合に、画面遷移前の画像に含まれる少なくとも２つのレイヤまたは／および画面遷移後の画像に含まれる少なくとも２つのレイヤを統合して合成レイヤを生成するレイヤ統合ステップと、
前記合成レイヤを用いて前記表示部に表示する画像を画面遷移前の画像から画面遷移後の画像へ徐々に遷移させる画面遷移ステップと、
前記レイヤ統合ステップにおいて生成した前記合成レイヤを、前記レイヤ統合ステップにおいて統合する前の前記レイヤに分割するレイヤ分割ステップと
を含むことを特徴とする画像表示方法。
【発明の詳細な説明】
【技術分野】
【０００１】
本発明は、画像表示装置及び画像表示方法に関するものである。
【背景技術】
【０００２】
複数の表示レイヤを重ね合わせて１枚の画面を合成する画像合成装置が知られている（例えば、特許文献１参照）。この画像合成装置においては、システムの負荷を軽減するために複数の表示レイヤの有効無効を判断し有効な表示レイヤのみを合成している。
【先行技術文献】
【特許文献】
【０００３】
【特許文献１】特開２００７−２４１７３８号公報
【発明の概要】
【発明が解決しようとする課題】
【０００４】
ところで、表示レイヤの数が制限されていると、画面を遷移させる際にアニメーション効果等の所望のグラフィック表現を用いることが困難な場合があった。
【０００５】
本発明の目的は、表示レイヤの数が制限された場合であっても所望のグラフィック表現を行うことができる画像表示装置及び画像表示方法を提供することである。
【課題を解決するための手段】
【０００６】
本発明の画像表示装置は、少なくとも２つの表示レイヤの表示を行う表示部と、前記表示部に表示された画面の遷移を指示する指示部と、前記指示部により画面遷移指示が行われると、画面遷移前の画像を表示するために必要な前記表示レイヤの数と画面遷移後の画像を表示するために必要な前記表示レイヤの数とを合計した必要レイヤ数と、前記表示部が有する表示レイヤの数とを比較する比較部と、前記必要レイヤ数よりも前記表示部が有する表示レイヤの数の方が少ない場合に、画面遷移前の画像に含まれる少なくとも２つのレイヤまたは／および画面遷移後の画像に含まれる少なくとも２つのレイヤを統合して合成レイヤを生成するレイヤ統合部と、前記合成レイヤを用いて前記表示部に表示する画像を画面遷移前の画像から画面遷移後の画像へ徐々に遷移させる表示制御部と、前記レイヤ統合部により生成した前記合成レイヤを前記レイヤ統合部により統合する前の前記レイヤに分割するレイヤ分割部とを備えることを特徴とする。
【０００７】
また、本発明の画像表示方法は、少なくとも２つの表示レイヤの表示を行う表示部に表示された画面を遷移させる画面遷移指示が行われると、画面遷移前の画像を表示するために必要な前記表示レイヤの数と画面遷移後の画像を表示するために必要な前記表示レイヤの数とを合計した必要レイヤ数と、前記表示部が有する表示レイヤの数とを比較する比較ステップと、前記必要レイヤ数よりも前記表示部が有する表示レイヤの数の方が少ない場合に、画面遷移前の画像に含まれる少なくとも２つのレイヤまたは／および画面遷移後の画像に含まれる少なくとも２つのレイヤを統合して合成レイヤを生成するレイヤ統合ステップと、前記合成レイヤを用いて前記表示部に表示する画像を画面遷移前の画像から画面遷移後の画像へ徐々に遷移させる画面遷移ステップと、前記レイヤ統合ステップにおいて生成した前記合成レイヤを、前記レイヤ統合ステップにおいて統合する前の前記レイヤに分割するレイヤ分割ステップとを含むことを特徴とする。
【発明の効果】
【０００８】
本発明に係る画像表示装置及び画像表示方法によれば、表示レイヤの数が制限された場合であっても所望のグラフィック表現を行うことができる。
【図面の簡単な説明】
【０００９】
【図１】実施の形態に係るカメラのシステム構成を示すブロック図である。
【図２】実施の形態に係るカメラの画面遷移処理を示すフローチャートである。
【図３】実施の形態に係るカメラの画像遷移前及び画像遷移後のレイヤを示す図である。
【図４】実施の形態に係るカメラの合成レイヤを示す図である。
【発明を実施するための形態】
【００１０】
以下、図面を参照して本発明の実施の形態に係るカメラについて説明する。図１は、実施の形態に係るカメラのシステム構成を示すブロック図である。図１に示すように、カメラ２は、マイクロプロセッサ等により構成され、カメラ２の各部を統括的に制御するＣＰＵ４を備えている。ＣＰＵ４はバス６に接続され、バス６には、ＣＰＵ４が実行するプログラム等を記憶するＲＯＭ８、動作させるプログラムや後述する記録媒体２４から読み込んだ撮影画像データ、後述する画像処理部１６により統合された合成レイヤ等を一時的に記憶するＲＡＭ１０、少なくとも２つの表示レイヤの表示を行い、撮影画像、スルー画像、各種設定を行うためのメニュー等を表示するＬＣＤ表示部１２の表示制御を行う表示制御部１４、ＬＣＤ表示部１２に表示される画像等を統合することにより合成レイヤの生成等を行う画像処理部１６、操作部１８、バッファメモリ２２、記録媒体２４への撮影画像データ等の記録、読み出しの制御を行う記録Ｉ／Ｆ２６が接続されている。ここで、操作部１８は、カメラ２の電源をオン／オフする電源スイッチ、動画像や静止画像の撮影開始等を指示するためのレリーズボタン、ＬＣＤ表示部１２にメニュー等を表示させるためのメニューボタン、メニュー項目等の選択や様々な設定時に操作される十字キー、メニュー項目等の選択や様々な設定に対する確定操作を行うためのＯＫボタン、記録媒体２４に記録された撮影画像データに基づく撮影画像をＬＣＤ表示部１２に表示させるための再生ボタン等を含んで構成されている。
【００１１】
また、撮像素子２８から出力される撮像信号は、信号処理部３０においてアナログ信号からデジタル信号に変換され、ＣＰＵ４に対して出力される。ＣＰＵ４は、信号処理部３０から出力されるデジタル信号の画像データをバッファメモリ２２に一時的に記憶させる。また、ＣＰＵ４は、ＬＣＤ表示部１２において表示されるスルー画像データを生成する。ここで、撮像素子２８は、ＣＣＤまたはＣＭＯＳ等により構成され、図示しない撮影レンズを介した被写体からの光を撮像する。
【００１２】
次に、図２に示すフローチャートを参照して、実施の形態に係るカメラの画面遷移処理について説明する。操作部１８を介してＬＣＤ表示部１２に表示された画面を遷移させる画面遷移指示が行われると、ＣＰＵ４は必要レイヤ数とＬＣＤ表示部１２が有する表示レイヤの数（使用可能レイヤ数）とを比較する（ステップＳ１）。ここで、必要レイヤ数は、画面遷移前の画像を表示するために必要な表示レイヤの数と画面遷移後の画像を表示するために必要な表示レイヤの数とを合計した数である。
【００１３】
また、画面遷移指示としては、ＬＣＤ表示部１２に撮影画像やスルー画像が表示されているときにメニューボタンが操作され、メニューを表示させる場合、ＬＣＤ表示部１２にメニューが表示されているときにＯＫボタンを用いてメニュー項目の確定操作が行われ、確定操作が行われたメニュー項目内に含まれる項目を表示させる場合、メニュー項目内に含まれる項目がＬＣＤ表示部１２に表示されているときに十字キーを用いて「戻る」が選択された状態でＯＫボタンを用いた確定操作が行われ、メニューを表示させる場合、ＬＣＤ表示部１２にメニューが表示されているときにレリーズボタンの半押し操作が行われ、スルー画像を表示させる場合、ＬＣＤ表示部１２にメニューが表示されているときに再生ボタンの操作が行われ、再生画像を表示させる場合、ＬＣＤ表示部１２に撮影画像（再生画像）が表示されているときに十字キーの右または左ボタンの操作が行われ、前後の撮影画像を表示させる場合等が挙げられる。
【００１４】
使用可能レイヤ数が必要レイヤ数よりも少ない場合には（ステップＳ１：Ｙｅｓ）、ＣＰＵ４は画像処理部１８に画面遷移前の画像に含まれる少なくとも２つのレイヤまたは／および画面遷移後の画像に含まれる少なくとも２つのレイヤを統合して合成レイヤを生成させ、合成レイヤをＲＡＭ１０に記憶させる（ステップＳ２）。このとき、画面遷移後の画像に含まれるレイヤを統合する場合には、ＣＰＵ４は画面遷移後の画像について合成レイヤを生成する前のレイヤの構成、アイコンの表示位置等を示すレイヤデータをＲＡＭ１０に記憶させる。
【００１５】
例えば、図３に示すようにＬＣＤ表示部１２が備える表示レイヤが上層表示レイヤと下層表示レイヤとの２つであり、画面遷移前の画像を表示するために必要なレイヤがレイヤ３２、３４、画面遷移後の画像を表示するために必要なレイヤが３６、３８である場合について説明する。この場合には、使用可能レイヤ数が２であり、必要レイヤ数が４となる。従って、図４に示すようにＣＰＵ４は画像処理部１８にレイヤ３２及び３４を統合させた合成レイヤ４０を生成させ、また、レイヤ３６及び３８を統合させた合成レイヤ４２を生成させる。
【００１６】
次に、ＣＰＵ４は表示制御部１４を制御して次画面の表示処理を行わせる（ステップＳ３）。このとき、表示制御部１４はアニメーション効果などの切替効果を用いて徐々に次画面に遷移させる。表示制御部１４は、例えば、スライドイン、スライドアウト、画面の外側から中央に向かって徐々に画面を表示させるボックスワイプイン、画面の中央から外側に向かって徐々に画面を表示させるボックスワイプアウト等の切替効果を用いることができる。
【００１７】
例えば、図４に示すように合成レイヤ４２をＬＣＤ表示部１２の下層の表示レイヤに表示させた状態で、ＬＣＤ表示部１２の上層の表示レイヤにおいて合成レイヤ４０を矢印で示すように右側から左側へスライドインさせる。なお、図４はＬＣＤ表示部１２に撮影画像やスルー画像が表示されているときにメニューボタンが操作され、メニューを表示させる場合を示し、画面遷移前の画像に含まれるレイヤ３８（図３参照）には撮影画像が表示され、レイヤ３６（図３参照）にはレイヤ３８に表示された撮影画像の画質やファイル名、画像データのプロテクト設定等を示すアイコン及び撮影日時が表示されている。また、レイヤ３６には、レイヤ３８に表示された撮影画像の記録媒体２４における順番を表示させてもよい。例えば、記録媒体２４に１００枚の撮影画像が記録され、レイヤ３８に表示された画像が１０番目の画像である場合には１０／１００と表示される。また、画面遷移後の画像に含まれるレイヤ３２（図３参照）にはメニュー項目を示すアイコン、レイヤ３４（図３参照）にはメニューに用いられる背景画像がそれぞれ表示されている。
【００１８】
次に、ＣＰＵ４は次画面の表示処理が終了したか否かを判断する（ステップＳ４）。次画面の表示処理が終了していない場合にはステップＳ３に示す処理を継続する。次画面の表示処理が終了した場合には、ＣＰＵ４はレイヤデータに基づいて画面遷移後の画像に含まれるレイヤをステップＳ２において統合したか否かを判断する（ステップＳ５）。
【００１９】
ステップＳ２において統合した場合には、ＣＰＵ４はレイヤデータに基づいて画像処理部１６に画面遷移後の合成レイヤを統合前のレイヤに分割させる（ステップＳ６）。例えば、図４に示すように合成レイヤ４０をスライドインさせた場合には、合成レイヤ４０を分割して、レイヤ３２をＬＣＤ表示部１２の上層の表示レイヤに、レイヤ３４をＬＣＤ表示部１２の下層の表示レイヤにそれぞれ表示させる。
【００２０】
なお、使用可能レイヤ数が必要レイヤ数以上である場合には（ステップＳ１：Ｎｏ）、ＣＰＵ４は、合成レイヤを生成させずに、表示制御部１４を制御して次画面の表示処理を行わせる（ステップＳ７）。このとき、ステップＳ３に示す処理と同様に表示制御部１４はアニメーション効果などの切替効果を用いて徐々に次画面に遷移させる。
【００２１】
本実施の形態に係るカメラによれば、表示レイヤが２つである場合など、表示レイヤの数が制限された場合であっても所望のグラフィック表現を行うことができる。
【００２２】
なお、上述の実施の形態においては、図３及び図４においてＬＣＤ表示部１２が有する表示レイヤの数が２である場合を示したが、表示レイヤの数は２以上であればよく、これに限定されるものではない。
【符号の説明】
【００２３】
２…カメラ、４…ＣＰＵ、１０…ＲＡＭ、１２…ＬＣＤ表示部、１４…表示制御部、１６…画像処理部、１８…操作部
【図１】
2013250841.tif 000003
【図２】
2013250841.tif 000004
【図３】
2013250841.tif 000005
【図４】
2013250841.tif 000006